(57)【要約】【課題】素早く発熱性組成物を発熱させることができるとともに水蒸気を多量に放出できる発熱体を提供する。【解決手段】発熱体１は、空気と接触することで発熱するとともに水蒸気を放出する発熱性組成物２と、発熱性組成物２を収納する収納袋３とを備え、収納袋３は、２枚のシート材３０から構成されており、シート材３０は、ＪＩＳ  Ｐ８１１７法で規定される透気度が１秒／１００ｍｌ以下であり、シート材３０は、粒径５μｍの粒子の捕集効率が９５％以上である。【選択図】図２
2018000376.tif 000002
【特許請求の範囲】
【請求項１】
空気と接触することで発熱するとともに水蒸気を放出する発熱性組成物と、前記発熱性組成物を収納する収納袋とを備え、
前記収納袋は、２枚のシート材から構成されており、
前記シート材は、ＪＩＳ  Ｐ８１１７法で規定される透気度が１秒／１００ｍｌ以下であり、
前記シート材は、粒径５μｍの粒子の捕集効率が９５％以上である、発熱体。
【請求項２】
請求項１に記載の発熱体と、前記発熱体を包む包装袋と、前記発熱体及び前記包装袋の間に配置される緩衝材とを備え、
前記緩衝材は、疎水性及び透湿性を有する、温熱具。
【請求項３】
前記緩衝材はネット状である、請求項２に記載の温熱具。
【請求項４】
前記緩衝材は疎水性繊維で形成されている、請求項２又は３に記載の温熱具。
【請求項５】
通気性を有する収納袋に芳香剤を収納した芳香体をさらに備え、
前記芳香体は、前記包装袋内の前記発熱体上に配置される、請求項２〜４のいずれかに記載の温熱具。
【発明の詳細な説明】
【技術分野】
【０００１】
本発明は、空気と接触することで発熱するとともに水蒸気を放出する発熱体及び当該発熱体を用いた温熱具に関する。
【背景技術】
【０００２】
身体などを温めるのに用いられる発熱体として、通気性を有する扁平状の収納袋に空気と接触することで発熱する粉状の発熱性組成物を収納した使い捨てカイロが従来より知られており（例えば特許文献１を参照）、携帯性、安全性、簡便性などに優れかつ安価であるために頻用されている。
【０００３】
この種の発熱体は、例えば収納袋の透気度により、発熱性組成物の発熱温度や発熱するまでの時間、発熱保持時間をコントロールしているが、高温を得ようとすると透気度を高める必要があり、そのために穿孔を増やすなどの処理を行うと、内容物が漏れ出すといった課題がある。
【先行技術文献】
【特許文献】
【０００４】
【特許文献１】特開平５−２０８０３１号公報
【発明の概要】
【発明が解決しようとする課題】
【０００５】
本発明は、上記した課題に着目してなされたものであり、空気と接触することで発熱するとともに水蒸気を放出する発熱体であって、高温となることで水蒸気を多量に放出できる発熱体、及び、当該発熱体を用いた温熱具を提供することを目的とする。
【課題を解決するための手段】
【０００６】
本発明の上記目的は、空気と接触することで発熱するとともに水蒸気を放出する発熱性組成物と、前記発熱性組成物を収納する収納袋とを備え、前記収納袋は、２枚のシート材から構成されており、前記シート材は、ＪＩＳ  Ｐ８１１７で規定される透気度が１秒／１００ｍｌ以下であり、前記シート材は、粒径５μｍの粒子の捕集効率が９５％以上である発熱体により達成される。
【０００７】
また、本発明の上記目的は、上記構成の発熱体と、前記発熱体を包む包装袋と、前記発熱体及び前記包装袋の間に配置される緩衝材とを備え、前記緩衝材は、疎水性及び透湿性を有する温熱具により達成される。
【０００８】
上記構成の温熱具の好ましい実施態様においては、前記緩衝材はネット状であることを特徴としている。
【０００９】
上記構成の温熱具のさらに好ましい実施態様においては、前記緩衝材は疎水性繊維で形成されていることを特徴としている。
【００１０】
上記構成の温熱具のさらに好ましい実施態様においては、通気性を有する収納袋に芳香剤を収納した芳香体をさらに備え、前記芳香体は、前記包装袋内の前記発熱体と別体に配置されることを特徴としている。
【発明の効果】
【００１１】
本発明の発熱体によれば、収納袋を構成するシート材の透気度が小さく通気性が非常に高いので、収納袋内に空気が良好に流入する。その結果、発熱性組成物の発熱温度を高くすることができるので、発熱性組成物の発熱に伴い多量の水蒸気が放出される。よって、多量の水蒸気により、使用者に対して心地よく温熱を与えることができる。一方、収納袋を構成するシート材は、粒径５μｍの粒子の捕集効率が９５％以上と高く、発熱性組成物が通過することを抑制可能な高いフィルター性を有している。よって、本発明の発熱体によれば、収納袋からの発熱性組成物の漏出を防止することができる。
【００１２】
また、本発明の温熱具によれば、発熱体を緩衝材を間に挟んだ状態で包装袋により包んでいるので、温熱具を使用者の肌に当てた際に発熱体が直接肌に当たらない。よって、発熱体が高温となって、使用者が発熱体だけの使用では熱いと感じる場合には、温熱具として使用することで、緩衝材が肌との間に介在するので、使用者に伝わる熱の温度が低下して適度な温熱を与えることができる。また、緩衝材は、疎水性及び透湿性を有しているので、発熱体から放出される水蒸気が緩衝材に吸収されることなく、肌に与えられる。よって、多量の水蒸気により、使用者に対して心地よく温熱を与えることができる。
【図面の簡単な説明】
【００１３】
【図１】本発明の一実施形態に係る発熱体の平面図である。
【図２】図１の断面図である。
【図３】本発明の一実施形態に係る温熱具の斜視図である。
【図４】図３の温熱具の分解斜視図である。
【図５】図３の温熱具の製造工程を示す説明図である。
【図６】図３の温熱具の製造工程を示す説明図である。
【図７】図３の温熱具の製造工程を示す説明図である。
【図８】図３の温熱具の使用状態を示す説明図である。
【発明を実施するための形態】
【００１４】
以下、本発明に係る発熱体及び温熱具の実施形態について図面を参照しつつ説明する。まず、発熱体１の一実施形態について説明する。発熱体１は、図１及び図２に示すように、空気と接触することで発熱するとともに水蒸気を放出する発熱性組成物２が扁平状の収納袋３内に収納された構成のものであり、手に持って手足や腰部、背中、腹、足の裏、肩、臀部など身体の種々の部位に当てることで温熱を与える、いわゆる身体に貼らないタイプのカイロである。
【００１５】
発熱性組成物２は、空気との接触により発熱するとともに水蒸気を放出するものであれば特に限定されるものではなく、例えば、金属粉（鉄粉など）、活性炭、金属塩（食塩など）、保水剤（木粉、バーミキュライト、けい藻土、パーライト、シリカゲル、アルミナ、吸水性樹脂など）及び水分をそれぞれ適宜の含有量含む組成物を用いることができる。鉄粉が空気中の酸素との酸化反応により発熱し、この発熱に伴い水分が蒸発して水蒸気が放出される。発熱体１は水蒸気が伴うことで温熱を使用者に心地よく与えることができる。なお、鉄粉、活性炭、金属縁、保水剤及び水分としては、従来から公知の発熱性組成物に用いられている種々の物質・大きさ（粒径）のものを用いることができる。また、発熱性組成物２は、上記成分以外にも、必要に応じてその他の配合可能な添加剤を含有してもよく、各成分を混合することにより発熱性組成物２が調製される。
【００１６】
収納袋３は、表裏２枚の平面視矩形状の可撓性を有するシート材３０で構成される。収納袋３は、２枚のシート材３０を重ね合わせ、外周縁部（四つの方面の側縁部）を公知の接着剤を用いて接合する、あるいは熱圧着（ヒートシール）により接合することによって、内部に発熱性組成物２の収納空間を有する袋状に形成されている。
【００１７】
シート材３０は、発熱性組成物２に空気を供給するために通気性を有している。シート材３０は、透気度を調整することで通気性が高められており、シート材３０を空気が通過しやすくなっている。これにより、収納袋３内に空気が良好に流入するので、発熱性組成物２の酸化反応に十分な量の酸素が供給されて発熱性組成物２の発熱効率が向上する。よって、発熱性組成物２の発熱温度上昇が大きくなるので、発熱性組成物２中の水分を良好に蒸発させて水蒸気を多量に放出することができる。
【００１８】
シート材３０の透気度は、本実施形態では、１秒／１００ｍｌ以下に調整されているが、０．５秒／１００ｍｌ以下に調整されていることがより好ましく、０．１秒／１００ｍｌ以下に調整されていることが最も好ましい。この透気度は、ＪＩＳ  Ｐ８１１７で測定される値であり、一定の圧力のもとで１００ｍｌの空気が６．４５ｃｍ２の面積を通過する時間で規定される。よって、透気度が大きいことは、空気の通過に時間がかかることから通気性が低いことを意味し、透気度が小さいことはその逆で通気性が高いことを意味する。なお、透気度は、ガーレー試験機で測定することができる。
【００１９】
加えて、シート材３０は、発熱性組成物２が通過することを防止するために高いフィルター性を有している。これにより、収納袋３内に収納された発熱性組成物２がシート材３０を通過して外部に漏れ出すことを防止することができる。このフィルター性は、以下のようにして測定することができる。具体的には、２ｍｇのＪＩＳ試験用粉体（７種）を添加した１Ｌの水を、シート材３０から採取した円形状の試料（直径４７ｍｍ）に対して、１ｃｍ２あたり１分間に４．３ｍｌ流して濾過し、濾過前後の液をサンプリングする。そして、濾過前の液に含まれる粒子径５μｍの粒子数をＣ０（個）、濾過後の液に含まれる粒子径５μｍの粒子数をＣ１（個）としたときに、以下の式１により捕集効率を算出することでフィルター性を測定することができる。捕集効率が大きいほどフィルター性が高く、本実施形態では、シート材３０は粒径５μｍの粒子の捕集効率が９５％以上に調整されている。
【００２０】
捕集効率（％）＝（Ｃ０-Ｃ１）×１００／Ｃ０・・・（式１）
【００２１】
上述した高い通気性及び高いフィルター性を有するシート材３０としては、織布及び／又は不織布の積層体で構成することができる。なお、積層体は、織布や不織布を複数枚積層して一体化させることが好ましい。一体化させる方法は、圧力により一体化させる方法、熱溶着などによる接着あるいは接着剤などによる接着により一体化させる方法などを例示することができる。
【００２２】
織布、不織布の繊維素材としては、ナイロン、ビニロンポリエステル、レーヨン、アクリル、ポリエチレン、ポリプロピレン、アセテート、ポリ塩化ビニル、ポリブチレンテレフタレートなどの合成繊維；綿、麻、絹、紙などの天然繊維；合成繊維と天然繊維との混合繊維などを例示することができる。使用感の観点から、繊維素材としてはナイロン、ポリエステル、ポリプロピレンなど、より好ましくはナイロン、ポリエステルを例示することができる。これらは単独で使用してもよく、２種以上を組み合わせて使用してもよい。
【００２３】
また、不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。そのなかでも、スパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。さらに、そのなかでも、肌触り及び通気性の観点からは、スパンボンド法、サーマルボンド法又はスパンレース法（特にスパンボンド法）が好ましい。
【００２４】
上述したシート材３０の具体例としては、繊維径が０．１μｍ〜数μｍの極細繊維からなる極細繊維不織布を、例えばスパンボンド法により製造されたスパンボンド不織布と組み合わせた積層体を用いることができ、極細繊維不織布を２つのスパンボンド不織布で挟んだ積層体や、極細繊維不織布をスパンボンド不織布上に積層させた積層体を好ましく用いることができる。極細繊維不織布は、例えばメルトブロー法やスパンボンド法により製造することができる。極細繊維不織布は、繊維径が０．１μｍ〜数μｍの極細繊維で構成されているため、繊維同士の隙間（孔）の孔径がかなり小さくて緻密であることから、シート材３０に用いた場合に、発熱性組成物２を効果的に捕捉してシート材３０を通過することを良好に防止できる。なお、極細繊維不織布は、極細繊維が均一のものを用いることで、より孔径が小さくかつ孔径分布もより均一となるためフィルター性が向上する。また、シート材３０の使用者の肌に接触する側をスパンボンド不織布とすることで、肌触りを良好にすることができる。なお、上述したシート材３０の具体的な構成は、透気度が１秒／１００ｍｌ以下と通気性が高く、かつ、粒径５μｍの粒子の捕集効率が９５％以上とフィルター性が高いものである限り制限されない。
【００２５】
シート材３０の目付けは、特に制限されるものではないが、目付けが小さいほど発熱体１を柔らかくかつ手になじみやすくできる一方で、目付けが小さすぎると収納袋３の強度が低下するため、例えば２０ｇ／ｍ２〜１００ｇ／ｍ２程度であることが好ましく、３０ｇ／ｍ２〜７０ｇ／ｍ２程度であることがより好ましい。
【００２６】
上記構成の発熱体１によると、収納袋３を構成するシート材３０の透気度が小さくて通気性が非常に高いので、収納袋３内に空気が良好に流入する結果、発熱性組成物２の発熱温度を高くすることができるので、発熱性組成物２の発熱に伴い多量の水蒸気が放出される。よって、多量の水蒸気により使用者に対して心地よく温熱を与えることができる。
【００２７】
次に、本発明に係る温熱具の一実施形態について説明する。温熱具１０は、図３及び図４に示すように、上述した本発明に係る発熱体１と、発熱体１を包む包装袋４と、発熱体１及び包装袋４の間に配置される緩衝材５と、発熱体１とは別体の芳香体６とを備えている。
【００２８】
包装袋４は、本実施形態では、１枚の包装シート４０を袋状に折り畳むことで形成される。包装シート４０は、発熱体１よりも外形が大きく形成されている。包装シート４０は、織布又は不織布で構成することができる。そのなかでも、肌触り及び通気性の観点から、スパンボンド法、サーマルボンド法又はスパンレース法により製造される不織布（特にスパンボンド不織布）で構成することが好ましい。
【００２９】
織布、不織布の繊維素材としては、ナイロン、ビニロン、ポリエステル、レーヨン、アクリル、ポリエチレン、ポリプロピレン、アセテート、ポリ塩化ビニル、ポリブチレンテレフタレートなどの合成繊維、綿、麻、絹、紙などの天然繊維、また、合成繊維と天然繊維との混合繊維などを例示することができる。使用感の観点から、繊維素材としてはナイロン、ポリエステル、ポリプロピレンなど、より好ましくはナイロン、ポリエステルを例示することができる。これらは単独で使用してもよく、２種以上を組み合わせて使用してもよい。
【００３０】
緩衝材５は、所定の厚みを有する柔軟なシート状をなし、疎水性及び透湿性を有している。ここで、疎水性とは、水となじみにくく、緩衝材５が水をあまり吸収しない性質を指す。疎水性は、緩衝材５を疎水性の素材で形成する、あるいは、緩衝材５を疎水処理することで得られる。また、透湿性とは、水蒸気を通過させる性質を指し、緩衝材５自体が孔径の小さな孔や隙間を複数有する多孔質であることで水蒸気を通過させることが可能であってもよいし、緩衝材に孔径の大きな孔や隙間を複数設ける構造とすることで、水蒸気を良好に通過させることが可能であってもよい。
【００３１】
本実施形態では、緩衝材５は、疎水性繊維を用いてシート状に形成されるとともにネット状に形成されて複数の隙間５０を有している。疎水性繊維としては、ポリエチレン、ポリプロピレン、ポリエチレンテレフタレートなどのポリエステル、ナイロン、ポリビニルアルコール、ポリスチレン、ポリ塩化ビニリデンなどを例示することができる。なお、緩衝材５の具体的な構成は、疎水性及び透湿性を有するものである限り制限されない。
【００３２】
緩衝材５の厚みは、特に制限されるものではないが、例えば１ｍｍ〜１０ｍｍ程度であることが好ましく、３ｍｍ〜７ｍｍ程度であることがより好ましい。
【００３３】
芳香体６は、芳香剤（図示せず）が扁平状の収納袋６０内に収納された構成のものである。芳香剤としては、例えば、香りの強い草花・葉・ハーブ・木の実・果物の皮などを乾燥させて砕いたものの他、乾燥させた草花・ハーブなどにアロマオイルなどの精油や人工香料を混ぜて砕いたものなど、従来から公知のものを例示することができる。
【００３４】
収納袋６０は、表裏２枚の平面視矩形状の通気性を有するシート材（図示せず）で構成される。収納袋６０は、２枚のシート材を重ね合わせ、外周縁部（四つの方面の側縁部）を公知の接着剤を用いて接合することあるいは熱圧着（ヒートシール）により接合することによって、内部に芳香剤の収納空間を有する袋状に形成されている。
【００３５】
通気性を有するシート材としては、不織布や織布の他、多孔質の樹脂フィルム、針で穿孔した樹脂フィルムを用いてもよい。また、シート材は、単層構成であってもよいし、樹脂フィルムと不織布又は織布とを積層した多層構成であってもよい。樹脂フィルムに使用される樹脂としては、特に制限されないが、例えば、ポリエチレン、ポリプロピレン、ポリエステル、ポリアミド、ポリウレタン、ポリスチレン、ポリビニルアルコール、ポリ塩化ビニル、ポリ塩化ビニリデン、ポリカーボネート、エチレン−酢酸ビニル共重合体などを例示することができる。また、織布又は不織布の繊維素材としては、ナイロン、ビニロン、ポリエステル、レーヨン、アクリル、ポリエチレン、ポリプロピレン、アセテート、ポリ塩化ビニル、ポリブチレンテレフタレートなどの合成繊維、綿、麻、絹、紙などの天然繊維、また、合成繊維と天然繊維との混合繊維などを例示することができる。
【００３６】
温熱具１０は、図５に示すように、広がった状態の包装シート４に、緩衝材５、発熱体１及び芳香体６を下からこの順で積層状態で配置した後、図６及び図７に示すように、包装シート４を芳香体６上に被さるように折り畳み、そして、図３に示すように、折り畳まれた包装シート４の両端部を束ねて紐や輪ゴム、結束バンドなどの結束手段７で一纏めにすることで製造される。この温熱具１０は、図８に示すように、使用者が手に持って、手に持って手足や腰部、背中、腹、足の裏、肩、臀部など身体の種々の部位に当てることで温熱を与えることができる。
【００３７】
上記構成の温熱具１０によると、発熱体１が緩衝材５を間に挟んだ状態で包装シート４により包まれているので、温熱具１０を使用者の肌に当てた際に発熱体１が直接肌に当たらない。よって、発熱体１が高温となって、使用者が発熱体１だけの使用では熱いと感じる場合には、温熱具１０として使用することで、緩衝材５が肌との間に介在するので、使用者に伝わる熱の温度が低下して適度な温熱を与えることができる。また、緩衝材５は、疎水性及び透湿性を有しているので、発熱体１から放出される水蒸気が緩衝材５に吸収されることなく、肌に与えられる。よって、十分な量の水蒸気により、使用者に対して心地よく温熱を与えることができる。
【００３８】
加えて、芳香体６が発熱体１とともに包装シート４に包まれているので、温熱と芳香体６から放出される芳香により、リラクゼーション効果を使用者に与えることができ、マッサージやエステなどに好適に用いることができる。
【００３９】
以上、本発明の実施形態について説明したが、本発明は上記実施形態に限定されるものではなく、本発明の趣旨を逸脱しない限りにおいて種々の変更が可能である。例えば、上記実施形態では、発熱体１の収納袋３は外形が長方形状であるが、長方形状に限らず、正方形状、円形状、楕円形状、例えば六角形状などの多角形状など、他の種々の形状とすることができる。
【００４０】
また、上記実施形態では、発熱体１の袋体３の発熱性組成物２の収納空間が１つだけ設けられているが、複数の収納空間が区画されて設けられていてもよい。
【００４１】
また、上記実施形態では、温熱具１０の包装袋４は１枚の包装シート４０を袋状として構成されているが、予め袋状であってもよい。
【００４２】
また、上記実施形態では、温熱具１０は芳香体６を備えているが、芳香体６は必ずしも備えている必要はない。
【実施例１】
【００４３】
以下、本発明に係る温熱具の実施例について説明する。なお、本発明に係る温熱具は、以下の実施例に限定されるものではない。
【００４４】
まず、実施例として、図３及び図４に示すように、発熱体と包装袋との間に緩衝材を配置した温熱具について、２３人の被験者に使用してもらい、使用時の（i）熱さ、（ii）温熱効果の満足度及び（iii）蒸気量についてそれぞれ５段階評価による官能試験を行った。なお、比較例として、発熱体と包装袋との間に緩衝材を配置しない温熱具について、１０人の被験者に使用してもらい、実施例と同様に、使用時の（i）熱さ、（ii）温かさの満足度及び（iii）蒸気量について１〜５の５段階評価による官能試験を行った。その結果を表１〜表３に示す。
【００４５】
なお、実施例及び比較例ともに、発熱体のシート材（サイズ：１３０ｍｍ×９５ｍｍ）は、ポリエステルのスパンボンド不織布／極細ポリエステルのメルトブロー不織布／ポリエステルのスパンボンド不織布の積層体（透気度：０．０５秒／１００ｍｌ、粒径５μｍの粒子の捕集効率：９８％）を用い、包装袋（サイズ：３００ｍｍ×２４０ｍｍ）はナイロンのスパンボンド不織布を用いた。また、実施例の緩衝材はポリエステル繊維からなる厚み５ｍｍのネット状シート（サイズ：９０ｍｍ×９０ｍｍ）を用いた。
【００４６】
表１に示されているように、実施例の温熱具を使用した場合に、「熱すぎる」と感じた被験者はおらず、「やや熱い」と感じる被験者の割合も比較例の温熱具を使用した場合と比較してかなり低いうえ、最も良い評価である「ちょうどよい熱さ」と感じる被験者の割合が比較例の温熱具を使用した場合と比較して非常に高い。また、表２に示されているように、実施例の温熱具を使用した場合には、温熱効果について、最も良い評価である「満足」と感じる被験者の割合が比較例の温熱具を使用した場合と比較して非常に高い。よって、本実例の温熱具は、使用時に熱くなり過ぎずに使用者にとって適度な温度であり、使用者に心地の良い温熱を与えられることが分かる。さらに、発熱体と包装袋との間に緩衝材が介在する実施例の温熱具を使用した場合でも、比較例の温熱具を使用した場合と比較して、表３に示されているように、使用者にとって十分な量の水蒸気を肌に与えられることができる。以上の結果から、本実施例の温熱具は、十分な量の水蒸気とともに使用者に対して心地よく温熱を与えられることが分かる。
【００４７】
【表１】
2018000376.tif 000003
【００４８】
【表２】
2018000376.tif 000004
【００４９】
【表３】
2018000376.tif 000005
【符号の説明】
【００５０】
１    発熱体
２    発熱性組成物
３    収納袋
４    包装袋
５    緩衝材
６    芳香体
３０  シート材
【図１】
2018000376.tif 000006
【図２】
2018000376.tif 000007
【図３】
2018000376.tif 000008
【図４】
2018000376.tif 000009
【図５】
2018000376.tif 000010
【図６】
2018000376.tif 000011
【図７】
2018000376.tif 000012
【図８】
2018000376.tif 000013